(57)【要約】【課題】配達業務処理システムにおいて、荷受人の受領サインのイメージを荷受人や荷送人に対して迅速に提供できるようにする。【解決手段】スマートフォン（20）を、スマートフォン（20）の画面上に受領証明を手書きで入力させる入力手段、及び入力手段で入力された手書きの受領証明のデータを汎用の携帯端末（20）から前記サーバ（40）へ出力させる出力手段として機能させるための配達業務処理用プログラム（30）とを配達業務処理システムに備えるようにする。【選択図】図１
2017073105.tif 000002
【特許請求の範囲】
【請求項１】
汎用の携帯端末（20）と、
前記汎用の携帯端末（20）と前記汎用の携帯端末（20）以外の端末（60）とがネットワークを介して接続されたサーバ（40）と、
前記汎用の携帯端末（20）を、
前記汎用の携帯端末（20）の画面上に受領証明を手書きで入力させる入力手段、及び
前記入力手段で入力された手書きの受領証明のデータを前記汎用の携帯端末（20）から前記サーバ（40）へ出力させる出力手段
として機能させるための配達業務処理用プログラム（30）とを備え、
前記サーバ（40）は、
前記汎用の携帯端末（20）から出力された前記手書きの受領証明のデータを格納させる格納部（49）と、
前記汎用の携帯端末（20）以外の端末（60）から出力された要求情報が前記サーバ（40）へ入力されると、前記格納部（49）に格納された前記手書きの受領証明のデータを、前記要求情報を出力した前記汎用の携帯端末（20）以外の端末（60）へ出力する出力処理部（50）と、
を備えることを特徴とする配達業務処理システム。
【請求項２】
汎用の携帯端末（20）を、
前記汎用の携帯端末（20）の画面上に受領証明を手書きで入力させる入力手段、及び
前記入力手段で入力された手書きの受領証明のデータを前記汎用の携帯端末（20）から前記サーバ（40）へ出力させる出力手段
として機能させるための配達業務処理用プログラムと、
前記汎用の携帯端末（20）と前記汎用の携帯端末（20）以外の端末（60）とがネットワークを介して接続されたサーバ（40）を、
前記汎用の携帯端末（20）から出力された前記手書きの受領証明のデータを格納させる格納手段と、
前記汎用の携帯端末（20）以外の端末（60）から出力された要求情報が前記サーバ（40）へ入力されると、前記格納手段に格納された前記手書きの受領証明のデータを、前記要求情報を出力した前記汎用の携帯端末（20）以外の端末（60）へ出力する出力手段と、
として機能させるためのサーバ用のプログラムと、
を備えることを特徴とする配達業務処理システムのプログラム。
【発明の詳細な説明】
【技術分野】
【０００１】
本発明は、配達業務処理システムである。
【背景技術】
【０００２】
従来より、配達業務の処理を行う配達業務処理システムが知られている。そして、これらの配達業務処理システムの中には、特許文献１に示すように、荷受人の受領サイン（受領証明）のイメージを荷受人や荷送人へ提供するものがある。
【０００３】
特許文献１のシステムでは、配達員が荷物を荷受人へ引き渡した後、複数枚綴りで複写仕様の送り状における複数枚のうちの１枚である到着原票に受領サインをもらい、その到着原票を配送センター等へ持ち帰る。持ち帰った到着原票はトレース処理でイメージデータへ変換された後に、そのイメージデータが配達業者のサーバの格納部へ格納される。サーバの格納部に格納されたイメージデータは、荷受人又は荷送人の端末からの要求に応じてサーバから各端末へ出力される。
【先行技術文献】
【特許文献】
【０００４】
【特許文献１】特許４９２５８５０号公報
【発明の概要】
【発明が解決しようとする課題】
【０００５】
しかしながら、配達員が、受領サインが記された到着原票を受け取ってからその到着原票をイメージデータへ変換してサーバに格納するまでに時間がかかり、受領サインのイメージを荷受人や荷送人に対して迅速に提供できないという問題がある。
【０００６】
本発明は、かかる点に鑑みてなされたものであり、その目的は、荷受人の受領サインのイメージを荷受人や荷送人に対して迅速に提供できるようにすることにある。
【課題を解決するための手段】
【０００７】
本発明は、配達業務処理システムを前提とする。この配達業務処理システムは、汎用の携帯端末（20）と、前記汎用の携帯端末（20）と前記汎用の携帯端末（20）以外の端末（60）とがネットワークを介して接続されたサーバ（40）と、前記汎用の携帯端末（20）を、前記汎用の携帯端末（20）の画面上に受領証明を手書きで入力させる入力手段、及び前記入力手段で入力された手書きの受領証明のデータを前記汎用の携帯端末（20）から前記サーバ（40）へ出力させる出力手段として機能させるための配達業務処理用プログラム（30）とを備え、前記サーバ（40）は、前記汎用の携帯端末（20）から出力された前記手書きの受領証明のデータを格納させる格納部（49）と、前記汎用の携帯端末（20）以外の端末（60）から出力された要求情報が前記サーバ（40）へ入力されると、前記格納部（49）に格納された前記手書きの受領証明のデータを、前記要求情報を出力した前記汎用の携帯端末（20）以外の端末（60）へ出力する出力処理部（50）とを備える。
【発明の効果】
【０００８】
本発明によれば、汎用の携帯端末の画面上に受領証明を手書きで入力させた後に、その手書きの受領証明をサーバへ直接出力させるようにしたので、従来とは違い、受領証明が記された到着原票をトレースしてイメージデータへ変換する手間を省くことができる。これにより、荷受人の受領サインのイメージを荷受人や荷送人に対して迅速に提供することができる。
【図面の簡単な説明】
【０００９】
【図１】図１は、実施形態に係る配達業務処理システムの概略図である。
【図２】図２は、スマートフォンにメニュー画面を表示させた図である。
【図３】図３は、スマートフォンがバーコードのデータを取得している図である
【図４】図４は、スマートフォンに受託情報画面を表示させた図である。
【図５】図５は、スマートフォンにサイン入力画面を表示させた図である。
【発明を実施するための形態】
【００１０】
以下、本発明を実施形態に基づいて詳細に説明する。なお、以下に説明する実施形態は例示であり、本発明が実施形態に限定されるものではない。
【００１１】
本発明の実施形態の配達業務処理システム（10）（以下、単に処理システム（10）とも言う。）は、図１に示すように、汎用の携帯端末としてのスマートフォン（20）と、運送業者のサーバ（40）と、スマートフォン（20）を少なくとも入力手段、信号処理手段及び出力手段として機能させる配達業務処理用プログラム（30）と、を備えている。尚、本発明の汎用の携帯端末は、スマートフォン（20）に限定されず、例えばタブレット等であってもよい。
【００１２】
＜スマートフォン＞
この処理システム（10）では、従来とは違い、運送業者の配達員によって使用される端末が、スマートフォン（20）である。このスマートフォン（20）に、上述の配達業務処理用プログラム（30）をダウンロードさせることにより、スマートフォン（20）を配達業務処理システム（10）の携帯端末として利用する。
【００１３】
スマートフォン（20）は、プログラムを記憶させるメモリ（図示なし）と、メモリに記憶されたプログラムを実行してスマートフォン（20）を動作させるＣＰＵ（Ｃｅｎｔｒａｌ  Ｐｒｏｃｅｓｓｉｎｇ  Ｕｎｉｔ）（図示なし）とを備えている。
【００１４】
スマートフォン（20）のメモリには、配達業務処理用プログラム（30）が記憶されている。スマートフォン（20）のＣＰＵは、この配達業務処理用プログラム（30）を実行することにより、スマートフォン（20）を、少なくとも入力手段、信号処理手段及び出力手段として機能させる。尚、以下に示すスマートフォン（20）の動作は、スマートフォン（20）のＣＰＵが配達業務処理用プログラム（30）を実行することにより行われる。
【００１５】
＜運送業者のサーバ＞
運送業者のサーバ（40）（以下、単にサーバ（40）と言う。）は、配達員のスマートフォン（20）と、運送業者の端末、荷受人の端末及び荷送人の端末（以下、配達員のスマートフォン（20）以外の端末（60）と言う。なお、運送業者の端末、荷受人の端末及び荷送人の端末にはスマートフォンが含まれる）に対して、ネットワークとしてのインターネットを介して接続されている。
【００１６】
また、サーバ（40）は、配達業務処理システム（10）のためのプログラムを記憶させるメモリ（図示なし）と、そのメモリのプログラムを実行してサーバ（40）を動作させるサーバ用ＣＰＵ（図示なし）とを備えている。以下に示すサーバ（40）の動作は、サーバ用ＣＰＵがこの配達業務処理システム（10）のためのサーバ用プログラムを実行することにより行われる。
【００１７】
＜スマートフォンのログイン処理＞
スマートフォン（20）において、配達業務処理用プログラム（30）を実行させると、まず、スマートフォン（20）は、ログイン処理手段として機能する。このログイン処理手段のログイン処理（21）では、スマートフォン（20）にログイン画面を表示させる。配達員は、そのログイン画面に従ってＩＤ及びパスワードをスマートフォン（20）に入力する。配達員によって入力されたＩＤ及びパスワードのデータは、スマートフォン（20）からサーバ（40）へ出力される。
【００１８】
＜サーバの認証処理＞
サーバ（40）は、認証処理部（42）と、各配達員のＩＤ及びパスワードのデータを配達員毎に格納させたユーザ情報格納部（41）と、を備えている。この認証処理部（42）は、配達員のＩＤ及びパスワードのデータがスマートフォン（20）からサーバ（40）へ入力されると、認証処理を行う。
【００１９】
認証処理では、配達員によって入力されたＩＤ及びパスワードのデータと、サーバ（40）のユーザ情報格納部（41）に格納された配達員のＩＤ及びパスワードのデータとが照合される。これらＩＤ及びパスワードのデータが互いに一致すれば、スマートフォン（20）は認証され、その認証情報がサーバ（40）からスマートフォン（20）へ出力される。
【００２０】
＜スマートフォンのメニュー画面の表示処理＞
スマートフォン（20）は、ログイン処理手段として機能した後、上述の認証情報がサーバ（40）からスマートフォン（20）へ出力されると、次にメニュー画面表示手段として機能する。メニュー画面表示手段のメニュー画面表示処理（22）では、図２に示すメニュー画面をスマートフォン（20）に表示させる。メニュー画面には、「配達」、「配達一括入力」、「設定」が表示される。配達員は、荷受人へ配達される荷物が１つであれば「配達」を選択する。荷受人へ配達される荷物が２つ以上であれば「配達一括入力」を選択するのが好ましい。
【００２１】
従来の配達業務の場合には、荷物ごとに送り状が貼り付けられているため、荷受人は、複数の荷物を受け取った場合には、複数の送り状の各々に、受領証明としての受領サインをしなければならず、荷受人の負担が大きかった。しかし、本実施形態では、このような場合には、「配達一括入力」を選択すれば、後述するように、荷受人は、スマートフォン（20）の画面上に受領サインを１回するだけで、全ての荷物に対して受領サインをしたことになり、従来の送り状の場合に比べて、荷受人の負担を大幅に低減させることができる。
【００２２】
＜スマートフォンのバーコード処理＞
スマートフォン（20）は、メニュー画面表示手段において「配達」、「配達一括入力」が選択されると、バーコード処理手段として機能する。バーコード処理手段のバーコード処理（23）では、スマートフォン（20）に内蔵のカメラを起動させる。スマートフォン（20）の画面には、カメラの映像が映し出される。荷受人へ引き渡す荷物には、バーコードが記入された伝票が貼付されている。図３に示すように、スマートフォン（20）のカメラでバーコードを写して、そのバーコードのデータを取得する。スマートフォン（20）は、バーコードのデータを信号処理し、その信号処理されたデータが、スマートフォン（20）からサーバ（40）へ出力される。
【００２３】
従来の配達業務で用いられていた専用端末には、そのヘッド部分にバーコードを読み取るための読取機を備えていたが、本発明の実施形態では、スマートフォン（20）に内蔵のカメラでバーコードを読み取るようにしたので、上述の読取機は不要となる。
【００２４】
＜サーバの荷物情報検索処理＞
サーバ（40）は、荷物情報を送り状ナンバー毎に格納させる荷物情報格納部（43）と、２つの荷物情報検索処理部（44,45）とを備えている。荷物情報とは、荷送人の氏名及び住所、荷受人の氏名及び住所、荷物の配達日時、荷物の現在位置、配達の有無などの荷物の配達状況に関するあらゆる情報のことである。送り状ナンバーとは、その荷物ごとに付される番号のことである。荷物情報格納部（43）には、送り状ナンバー毎に荷物情報が格納されている。
【００２５】
２つの荷物情報検索処理部（44,45）は、スマートフォン（20）専用のものと、配達員のスマートフォン（20）以外の端末（60）専用のものである。尚、本発明において、サーバ（40）が備える荷物情報検索処理部は、２つに限定されず、例えば、１つの荷物情報検索処理部で、スマートフォン専用と上述の配達員のスマートフォン（20）以外の端末専用とを兼ねる構成であってもよい。
【００２６】
端末専用の荷物情報検索処理部（45）は、送り状ナンバーを伴う荷物情報の問合せ要求が、配達員のスマートフォン（20）以外の端末（60）の少なくとも１つからサーバ（40）へ入力されると、荷物情報検索処理を行う。荷物情報検索処理では、荷物情報格納部（43）に格納された複数の荷物情報の中から、問合せ要求の送り状ナンバーに対応する荷物情報を検索する。この検索された荷物情報は、サーバ（40）から、問合せ要求を出力した配達員のスマートフォン（20）以外の端末（60）へ出力される。
【００２７】
一方、スマートフォン専用の荷物情報検索処理部（44）は、上述したスマートフォ（20）のバーコード処理（23）において、信号処理されたバーコードのデータがスマートフォン（20）からサーバ（40）へ入力されると、荷物情報検索処理を行う。この荷物情報検索処理では、サーバ（40）へ入力されたバーコードのデータに基づいて荷物の送り状ナンバーを検索し、荷物情報格納部（43）に格納された複数の荷物情報の中から、バーコードの送り状ナンバーに対応する荷物情報を検索する。この検索された荷物情報は、サーバ（40）からスマートフォン（20）へ出力される。
【００２８】
＜スマートフォンの受託情報画面の表示処理＞
スマートフォン（20）は、荷物情報がサーバ（40）からスマートフォン（20）へ入力されると、受託情報画面表示手段として機能する。受託情報画面表示手段の受託情報画面表示処理（24）では、図４に示すように、荷物情報がスマートフォン（20）の画面に表示される。例えば、配達員は、スマートフォン（20）の受託情報画面を荷受人に提示し、荷物の荷送人が誰であるかを荷受人に確認してもらうことができる。
【００２９】
＜スマートフォンの入力処理＞
スマートフォン（20）は、上述の受託情報画面を表示した後、入力手段として機能する。入力手段の入力処理（25）では、図５に示すように、サイン入力画面をスマートフォン（20）に表示させる。荷受人は、荷物を受領したことを証する受領サインをサイン入力画面のサイン欄に手書きで書く。本実施形態では、荷受人がタッチペン又は指を用いて受領サインを書く。
【００３０】
従来の配達業務では、荷受人の受領サインを紙伝票（到着原票）でもらうようにしていたが、本実施形態では、スマートフォン（20）の画面に受領サインを書くようにしたので、紙伝票（到着原票）をなくすことができ、配達業務のペーパレス化を図ることができる。
【００３１】
また、入力手段では、荷受人による手書きでの受領サインの入力の後、配達業務の完了に際して様々な入力画面をスマートフォン（20）に表示させる。本実施形態では、スマートフォン（20）に商業・宅配選択画面を表示させる。ここで、商業とは個人宅以外へ荷物を配達することをいう。配達員は、荷受人に渡した荷物が商業又は宅配であるかを商業・宅配選択画面に入力する。
【００３２】
また、入力手段では、商業又は宅配の入力後、「登録」の部分をタッチする。これにより、配達完了情報の入力が終了する。配達完了情報には、送り状ナンバー、荷物が商業又は宅配であるかの選択情報及び受領サインの情報が含まれる。
【００３３】
＜スマートフォンの出力処理＞
スマートフォン（20）は、入力手段として機能した後、出力手段として機能する。出力手段の出力処理（26）では、手書きの受領サインのデータと配達完了情報とをスマートフォン（20）からサーバ（40）へ出力する。
【００３４】
＜サーバの荷物情報処理＞
サーバ（40）は、荷物情報処理部（46）と、荷物情報作成処理部（47）と、受領証明情報作成処理部（48）とを備えている。荷物情報処理部（46）は、配達完了情報と手書きの受領サインのデータとがスマートフォン（20）から入力されると、配達完了情報を荷物情報作成処理部（47）へ送り、手書きの受領サインのデータを受領証明情報作成処理部（48）へ送る。
【００３５】
＜サーバの荷物情報作成処理＞
荷物情報作成処理部（47）は、荷物情報処理部（46）から配達完了情報が入力されると、その配達完了情報に基づいて、配達ポイント情報を作成する。配達ポイント情報とは、配達員からの荷物輸送状況の報告データである。この配達ポイント情報は、荷物の送り状ナンバーごとに荷物情報格納部（43）に格納された荷物情報とともに格納される。この配達ポイント情報は、荷物情報と同様に、配達員のスマートフォン（20）以外の端末（60）から取得可能である。
【００３６】
＜サーバの受領証明情報作成処理＞
受領証明情報作成処理部（48）は、荷物情報処理部（46）から手書きの受領サインのデータが入力されると、受領サインのデータと、荷物情報格納部（43）に格納された、荷物の送り状ナンバーに対応する荷物情報とに基づいて、受領サイン情報を作成する。受領サイン情報とは、送り状ナンバー、発送日、荷受人の住所・氏名、及び荷送人の住所・氏名等が記された伝票イメージに、受領サインのデータから作成された受領サインのイメージを付したものである。
【００３７】
サーバ（40）は、本発明の格納部としての受領証明情報格納部（49）を備えている。上述の受領サイン情報は、荷物の送り状ナンバー毎に受領証明情報格納部（49）へ格納される。
【００３８】
＜サーバの受領証明情報検索処理＞
サーバ（40）は、本発明の出力処理部としての受領証明情報検索処理部（50）を備えている。この受領証明情報検索処理部（50）は、配達員のスマートフォン（20）以外の端末（60）の少なくとも１つから、受領サインの問合せ要求が入力されると、受領証明情報検索処理を行う。受領証明情報検索処理では、受領証明情報格納部（49）に格納された複数の受領サイン情報の中から、問合せ要求の送り状ナンバーに対応する受領サイン情報を検索する。この検索された受領サイン情報は、サーバ（40）から、問合せ要求を出力した配達員のスマートフォン（20）以外の端末（60）へ出力される。
【００３９】
従来の配達業務では、荷受人の受領サインを到着原票でもらうようにしていたため、配達員は配達業務の完了情報のみを専用端末からサーバ（40）へ出力するしかなかった。受領サインが記された到着原票は、運送業者の配送センターで種類別に仕分けされてトレースセンターへ送られ、このトレースセンターで、到着原票がトレースされることによりイメージデータへ変換され、その変換されたイメージデータがサーバに格納されていた。
【００４０】
このため、業務完了の問合せ要求に対しては、業務完了当日に対応できていたが、受領サインの問合せ要求に対しては、上述したように、到着原票を受け取ってからイメージデータへ変換するまでに時間がかかるため、早くても業務完了の翌日にしか対応できなかった。
【００４１】
本実施形態によれば、配達業務の完了情報だけでなく受領サインのデータもサーバ（40）へ出力することができるので、受領サインの問合せ要求に対し、業務完了当日に、メールやＦＡＸで対応することができる。
【産業上の利用可能性】
【００４２】
以上、説明したように、本発明は、配達業務処理システムについて有用である。
【符号の説明】
【００４３】
１０    配達業務処理システム
２０    スマートフォン（汎用の携帯端末）
３０    配達業務処理用プログラム
４０    サーバ
５０    受領証明情報検索処理部
６０    配達員のスマートフォン（20）以外の端末
【図１】
2017073105.tif 000003
【図２】
2017073105.tif 000004
【図３】
2017073105.tif 000005
【図４】
2017073105.tif 000006
【図５】
2017073105.tif 000007